(57)【特許請求の範囲】
【請求項１】
体肢および体幹を流れる電流の電圧値に基づいて体組成を算出する体組成測定装置において、
前記体肢のうちの所定の部分である体肢部分、および、前記体幹のうちの所定の部分である第１体幹部分を流れる電流の電圧値である第１電圧値と、前記体肢部分、および、前記体幹のうちの前記第１体幹部分とは別の部分である第２体幹部分を流れる電流の電圧値である第２電圧値との差である体電圧値に基づいて前記体組成である体脂肪量を算出する
体組成測定装置。
【請求項２】
右半身の前記体肢である右体肢を流れる電流に基づいて測定される前記第１電圧値および前記第２電圧値に基づいて前記体電圧値である右体電圧値を算出し、
左半身の前記体肢である左体肢を流れる電流に基づいて測定される前記第１電圧値および前記第２電圧値に基づいて前記体電圧値である左体電圧値を算出し、
前記右体電圧値および前記左体電圧値に基づいて前記体脂肪量を算出する
請求項１に記載の体組成測定装置。
【請求項３】
前記右体電圧値および前記左体電圧値の平均値に基づいて前記体脂肪量を算出する
請求項２に記載の体組成測定装置。
【請求項４】
電流電極Ａ、電流電極Ｂ、および、電流電極Ｃ、ならびに、電圧電極Ａ、電圧電極Ｂ、および、電圧電極Ｃを備え、
前記電流電極Ａ、前記電流電極Ｂ、前記電圧電極Ａ、および、前記電圧電極Ｂの互いの位置関係が固定され、
前記電流電極Ａ、前記電流電極Ｂ、前記電圧電極Ａ、および、前記電圧電極Ｂと前記電流電極Ｃおよび前記電圧電極Ｃとの位置関係が変更可能であり、
前記第１電圧値および前記第２電圧値の一方が前記電圧電極Ａと前記電圧電極Ｂとにより測定され、
前記第１電圧値および前記第２電圧値の他方が前記電圧電極Ａおよび前記電圧電極Ｂの一方と前記電圧電極Ｃとにより測定される
請求項１〜３のいずれか一項に記載の体組成測定装置。
【請求項５】
電流電極Ｄおよび電圧電極Ｄをさらに備え、
前記電流電極Ｃ、前記電流電極Ｄ、前記電圧電極Ｃ、および、前記電圧電極Ｄの互いの位置関係が固定され、
前記電流電極Ａ、前記電流電極Ｂ、前記電圧電極Ａ、および、前記電圧電極Ｂと前記電流電極Ｃ、前記電流電極Ｄ、前記電圧電極Ｃ、および、前記電圧電極Ｄとの位置関係が変更可能であり、
前記第１電圧値および前記第２電圧値の一方が、前記右体肢を流れる電流に基づいて前記電圧電極Ａと前記電圧電極Ｂとにより測定され、
前記第１電圧値および前記第２電圧値の他方が、前記右体肢を流れる電流に基づいて前記電圧電極Ａおよび前記電圧電極Ｂの一方と前記電圧電極Ｃおよび前記電圧電極Ｄの一方とにより測定され、
前記第１電圧値および前記第２電圧値の一方が、前記左体肢を流れる電流に基づいて前記電圧電極Ｃと前記電圧電極Ｄとにより測定され、
前記第１電圧値および前記第２電圧値の他方が、前記左体肢を流れる電流に基づいて前記電圧電極Ｃおよび前記電圧電極Ｄの一方と前記電圧電極Ａおよび前記電圧電極Ｂの一方とにより測定される
請求項２または３を引用する請求項４に記載の体組成測定装置。
【請求項６】
前記電流電極Ａ、前記電流電極Ｂ、前記電圧電極Ａ、および、前記電圧電極Ｂを備える第１測定ユニットと、
前記第１測定ユニットと個別に構成され、前記電流電極Ｃおよび前記電圧電極Ｃを備える第２測定ユニットと
をさらに備える
請求項４または５に記載の体組成測定装置。
【請求項７】
前記第２測定ユニットは前記電流電極Ｄおよび前記電圧電極Ｄをさらに備える
請求項５を引用する請求項６に記載の体組成測定装置。
【請求項８】
前記第１測定ユニットは前記電流電極Ａおよび前記電圧電極Ａを備える第１把持部、ならびに、前記電流電極Ｂおよび前記電圧電極Ｂを備える第１本体部をさらに備え、
前記第２測定ユニットは第２把持部および第２本体部をさらに備え、
前記電流電極Ｃおよび前記電圧電極Ｃが前記第２把持部および前記第２本体部の一方に含まれる
請求項６または７に記載の体組成測定装置。
【請求項９】
前記電流電極Ｄおよび前記電圧電極Ｄが前記第２把持部および前記第２本体部の他方に含まれる
請求項７を引用する請求項８に記載の体組成測定装置。
【請求項１０】
前記第１測定ユニットおよび前記第２測定ユニットの少なくとも一方は手持ち型ユニットであり、把持された状態において操作可能な操作部を備える
請求項６〜９のいずれか一項に記載の体組成測定装置。
【請求項１１】
前記体電圧値が測定されるときの前記第１測定ユニットの高さと前記第２測定ユニットの高さとを揃えるための目印機構をさらに備える
請求項６〜９のいずれか一項に記載の体組成測定装置。
【請求項１２】
前記第１測定ユニットおよび前記第２測定ユニットを互いに接続し、前記目印機構の機能を備える支持部材をさらに備える
請求項１１に記載の体組成測定装置。
【発明の詳細な説明】
【技術分野】
【０００１】
本発明は、体肢および体幹を流れる電流の電圧値に基づいて体組成を算出する体組成測定装置に関する。
【背景技術】
【０００２】
上記体組成測定装置として特許文献１に記載のものが知られている。この体組成測定装置は、体肢としての腕および体幹の体組成が反映された体組成を測定結果として使用者に提供する。
【先行技術文献】
【特許文献】
【０００３】
【特許文献１】特開２００３−１５９２２７号公報
【発明の概要】
【発明が解決しようとする課題】
【０００４】
上記体組成測定装置は、腕および体幹を流れる電流の電圧値として、電圧電極により１つの電圧値を測定し、この電圧値に基づいて体組成を算出している。このため、体肢の体組成および体幹の体組成のうちの体幹の体組成が相対的に大きく反映された測定結果を使用者に対して提供することはできない。
【０００５】
本発明の目的は、体幹の体組成が相対的に大きく反映された測定結果を使用者に対して提供できる体組成測定装置を提供することである。
【課題を解決するための手段】
【０００６】
〔１〕本発明の一形態に従う体組成測定装置は、体肢および体幹を流れる電流の電圧値に基づいて体組成を算出する体組成測定装置において、前記体肢のうちの所定の部分である体肢部分、および、前記体幹のうちの所定の部分である第１体幹部分を流れる電流の電圧値である第１電圧値と、前記体肢部分、および、前記体幹のうちの前記第１体幹部分とは別の部分である第２体幹部分を流れる電流の電圧値である第２電圧値との差である体電圧値に基づいて前記体組成である体脂肪量を算出する。
〔２〕前記体組成測定装置の一形態は、右半身の前記体肢である右体肢を流れる電流に基づいて測定される前記第１電圧値および前記第２電圧値に基づいて前記体電圧値である右体電圧値を算出し、左半身の前記体肢である左体肢を流れる電流に基づいて測定される前記第１電圧値および前記第２電圧値に基づいて前記体電圧値である左体電圧値を算出し、前記右体電圧値および前記左体電圧値に基づいて前記体脂肪量を算出する。
〔３〕前記体組成測定装置の一形態は、前記右体電圧値および前記左体電圧値の平均値に基づいて前記体脂肪量を算出する。
〔４〕前記体組成測定装置の一形態は、電流電極Ａ、電流電極Ｂ、および、電流電極Ｃ、ならびに、電圧電極Ａ、電圧電極Ｂ、および、電圧電極Ｃを備え、前記電流電極Ａ、前記電流電極Ｂ、前記電圧電極Ａ、および、前記電圧電極Ｂの互いの位置関係が固定され、前記電流電極Ａ、前記電流電極Ｂ、前記電圧電極Ａ、および、前記電圧電極Ｂと前記電流電極Ｃおよび前記電圧電極Ｃとの位置関係が変更可能であり、前記第１電圧値および前記第２電圧値の一方が前記電圧電極Ａと前記電圧電極Ｂとにより測定され、前記第１電圧値および前記第２電圧値の他方が前記電圧電極Ａおよび前記電圧電極Ｂの一方と前記電圧電極Ｃとにより測定される。
〔５〕前記体組成測定装置の一形態は、電流電極Ｄおよび電圧電極Ｄをさらに備え、前記電流電極Ｃ、前記電流電極Ｄ、前記電圧電極Ｃ、および、前記電圧電極Ｄの互いの位置関係が固定され、前記電流電極Ａ、前記電流電極Ｂ、前記電圧電極Ａ、および、前記電圧電極Ｂと前記電流電極Ｃ、前記電流電極Ｄ、前記電圧電極Ｃ、および、前記電圧電極Ｄとの位置関係が変更可能であり、前記第１電圧値および前記第２電圧値の一方が、前記右体肢を流れる電流に基づいて前記電圧電極Ａと前記電圧電極Ｂとにより測定され、前記第１電圧値および前記第２電圧値の他方が、前記右体肢を流れる電流に基づいて前記電圧電極Ａおよび前記電圧電極Ｂの一方と前記電圧電極Ｃおよび前記電圧電極Ｄの一方とにより測定され、前記第１電圧値および前記第２電圧値の一方が、前記左体肢を流れる電流に基づいて前記電圧電極Ｃと前記電圧電極Ｄとにより測定され、前記第１電圧値および前記第２電圧値の他方が、前記左体肢を流れる電流に基づいて前記電圧電極Ｃおよび前記電圧電極Ｄの一方と前記電圧電極Ａおよび前記電圧電極Ｂの一方とにより測定される。
〔６〕前記体組成測定装置の一形態は、前記電流電極Ａ、前記電流電極Ｂ、前記電圧電極Ａ、および、前記電圧電極Ｂを備える第１測定ユニットと、前記第１測定ユニットと個別に構成され、前記電流電極Ｃおよび前記電圧電極Ｃを備える第２測定ユニットとをさらに備える。
〔７〕前記体組成測定装置の一形態は、前記第２測定ユニットは前記電流電極Ｄおよび前記電圧電極Ｄをさらに備える。
〔８〕前記体組成測定装置の一形態は、前記第１測定ユニットは前記電流電極Ａおよび前記電圧電極Ａを備える第１把持部、ならびに、前記電流電極Ｂおよび前記電圧電極Ｂを備える第１本体部をさらに備え、前記第２測定ユニットは第２把持部および第２本体部をさらに備え、前記電流電極Ｃおよび前記電圧電極Ｃが前記第２把持部および前記第２本体部の一方に含まれる。
〔９〕前記体組成測定装置の一形態は、前記電流電極Ｄおよび前記電圧電極Ｄが前記第２把持部および前記第２本体部の他方に含まれる。
〔１０〕前記体組成測定装置の一形態は、前記第１測定ユニットおよび前記第２測定ユニットの少なくとも一方は手持ち型ユニットであり、把持された状態において操作可能な操作部を備える。
〔１１〕前記体組成測定装置の一形態は、前記体電圧値が測定されるときの前記第１測定ユニットの高さと前記第２測定ユニットの高さとを揃えるための目印機構をさらに備える。
〔１２〕前記体組成測定装置の一形態は、前記第１測定ユニットおよび前記第２測定ユニットを互いに接続し、前記目印機構の機能を備える支持部材をさらに備える。
【発明の効果】
【００１５】
本発明に従う体組成測定装置の一形態によれば、体幹の体組成が相対的に大きく反映された測定結果を使用者に対して提供できる。
【図面の簡単な説明】
【００１６】
【図１】は実施形態の体組成測定装置のブロック図である。
【図２】は実施形態の体組成測定装置の正面図である。
【図３】（ａ）は右体第１電圧値が測定される場合の動作図であり、（ｂ）は右体第２電圧値が測定される場合の動作図である。
【図４】（ａ）は左体第１電圧値が測定される場合の動作図であり、（ｂ）は左体第２電圧値が測定される場合の動作図である。
【図５】は変形例の体組成測定装置により体組成が測定される場合の動作図である。
【図６】は変形例の体組成測定装置により体組成が測定される場合の動作図である。
【図７】は変形例の体組成測定装置により体組成が測定される場合の動作図である。
【図８】は変形例の体組成測定装置の正面図である。
【図９】は図８の体組成測定装置により体組成が測定される場合の動作図である。
【発明を実施するための形態】
【００１７】
図１を参照して、体組成測定装置１の構成について説明する。
体組成測定装置１は、個別に把持できるように構成された第１測定ユニット１０および第２測定ユニット２０と、第１測定ユニット１０および第２測定ユニット２０を互いに接続するケーブルＣとを備えている。また、体組成としての体脂肪の体積を測定する測定部３０と、体脂肪の測定に必要な情報の入力に用いられる操作部６０と、各種情報を使用者に提示する表示部７０と、測定部３０の測定結果を用いて演算を行う制御部８０とを備える。
【００１８】
測定部３０は、被測定体に電流を流す第１電流電極４１、第２電流電極４２、第３電流電極４３、および第４電流電極４４と、被測定体を流れる電流の電圧値を測定する第１電圧電極５１、第２電圧電極５２、第３電圧電極５３、および第４電圧電極５４とを備える。
【００１９】
なお、第１電流電極４１は「電流電極Ａ」に相当し、第２電流電極４２は「電流電極Ｂ」に相当し、第４電流電極４４は「電流電極Ｃ」に相当し、第３電流電極４３は「電流電極Ｄ」に相当する。また、第１電圧電極５１は「電圧電極Ａ」に相当し、第２電圧電極５２は「電圧電極Ｂ」に相当し、第４電圧電極５４は「電圧電極Ｃ」に相当し、第３電圧電極５３は「電圧電極Ｄ」に相当する。
【００２０】
第１測定ユニット１０は、第１電流電極４１、第２電流電極４２、第１電圧電極５１、および第２電圧電極５２と、操作部６０とを備える。なお、各電極４１，４２，５１，５２は、第１測定部３１を構成している。
【００２１】
第２測定ユニット２０は、第３電流電極４３、第４電流電極４４、第３電圧電極５３、および第４電圧電極５４と、表示部７０とを備える。なお、各電極４３，４４，５３，５４は、第２測定部３２を構成している。
【００２２】
制御部８０は、第１測定ユニット１０に設けられる第１制御部８１と、第２測定ユニット２０に設けられる第２制御部８２とを備えている。第１制御部８１および第２制御部８２は、ケーブルＣを介して信号を送信および受信する。第１制御部８１には、第１測定部３１を構成する電極４１，４２，５１，５２、および操作部６０が接続されている。第２制御部８２には、第２測定部３２を構成する電極４３，４４，５３，５４および表示部７０が接続されている。
【００２３】
制御部８０は、使用者による操作部６０の操作により体脂肪の測定を開始するための信号を受信したとき、４つの電流電極４１〜４４のうちの２つの電極を選択し、選択した電極間での電流の供給を開始する。そして、４つの電圧電極５１〜５４のうちの２つの電圧電極により測定された電圧値、および操作部６０を介して入力された各種の情報に基づいて体脂肪の体積を算出し、算出した結果を表示部７０において数値として表示する。なお、操作部６０により入力される各種の情報としては、使用者の身長、体重、年齢、および性別等が挙げられる。
【００２４】
図２を参照して、体組成測定装置１の構造について説明する。
第１測定ユニット１０は、右手で把持するための第１把持部１１と、操作部６０が設けられるブロック状の第１本体部１２と、内蔵型の電源（図示略）とを備えている。第１把持部１１には、第１電流電極４１および第１電圧電極５１が設けられている。第１本体部１２において、第１把持部１１が取り付けられている面とは反対側に位置する第１電極面１３には、第２電流電極４２および第２電圧電極５２が設けられている。なお、電極材としては、ＳＵＳおよび樹脂材表面を金属めっき処理したものが用いられている。
【００２５】
第２測定ユニット２０は、左手で把持するための第２把持部２１と、表示部７０が設けられるブロック状の第２本体部２２と、内蔵型の電源（図示略）とを備えている。第２把持部２１には、第３電流電極４３および第３電圧電極５３が設けられている。第２本体部２２において、第２把持部２１が取り付けられている面とは反対側に位置する第２電極面２３には、第４電流電極４４および第４電圧電極５４が設けられている。
【００２６】
図３および図４を参照して、体組成測定装置１を用いた体脂肪の測定手順について説明する。図３および図４のハッチング入りの円は、電流電極４１〜４４および電圧電極５１〜５４を示している。なお、右腕は「右体肢」に相当し、左腕は「左体肢」に相当する。また、右手ＨＲおよび左手ＨＬは「体肢部分」に相当する。また、右脇腹ＡＲは「第１体幹部分」に相当し、左脇腹ＡＬは「第２体幹部分」に相当する。
【００２７】
図３を参照して、使用者により行われる測定のための準備について説明する。
（準備手順１）使用者は、第１測定ユニット１０の第１把持部１１を右手ＨＲで把持した状態において、各電流電極４１，４２が各電圧電極５１，５２の下方に位置するように第１測定ユニット１０を右脇腹ＡＲに接触させる。このとき、第１測定ユニット１０の第１電流電極４１および第１電圧電極５１が右手ＨＲと接触した状態、および第１測定ユニット１０の第２電流電極４２および第２電圧電極５２が右脇腹ＡＲと接触した状態が得られる。
【００２８】
（準備手順２）使用者は、第２測定ユニット２０の第２把持部２１を左手ＨＬで把持した状態において、各電流電極４３，４４が各電圧電極５３，５４の下方に位置するように第２測定ユニット２０を右脇腹ＡＲに接触させる。このとき、第２測定ユニット２０の第３電流電極４３および第３電圧電極５３が左手ＨＬと接触した状態、および第２測定ユニット２０の第４電流電極４４および第４電圧電極５４が左脇腹ＡＬと接触した状態が得られる。
【００２９】
（準備手順３）使用者は、体幹に対する第１測定ユニット１０の高さ方向の位置と、体幹に対する第２測定ユニット２０の高さ方向の位置とが互いに同じ位置となるように、目視により各測定ユニット１０，２０の位置を調整する。
【００３０】
（準備手順４）使用者は、第１測定ユニット１０の把持部１１を把持した状態において、右手ＨＲの指で測定部３０の測定ボタンを押す。これにより、体組成の測定を開始するための開始信号、すなわち電流の供給および電圧値の測定を開始するための開始信号が制御部８０に送信される。
【００３１】
図３を参照して、体組成の測定の流れについて説明する。
制御部８０は、測定部３０の測定ボタンの操作にともない送信された開始信号を受信したとき、電流の供給および電圧値の測定を開始するための指令信号を測定部３０に送信する。これにより、測定部３０による体組成の測定が開始される。
【００３２】
体組成の測定が開始されたとき、図中において太線で示されるように、電流が被測定体の右腕または左腕および体幹を流れる。この電流の電圧は、被被測定体の体組成、すなわち皮下脂肪、内臓脂肪、および筋肉のそれぞれのインピーダンスに応じて異なる大きさを示す。
【００３３】
体組成は、具体的には以下の手順により算出される。
（測定手順１）図３（ａ）に示されるように、右手ＨＲに接触する第１電流電極４１、および左脇腹ＡＬに接触する第４電流電極４４を介して電流が流れる。このとき、右手ＨＲに接触する第１電圧電極５１と、左脇腹ＡＬに接触する第４電圧電極５４とにより、これら電圧電極５１，５４の間を流れる電流の電圧値（以下、「右体第１電圧値」）が測定される。
【００３４】
（測定手順２）図３（ｂ）に示されるように、右手ＨＲに接触する第１電流電極４１、および右脇腹ＡＲに接触する第２電流電極４２を介して電流が流れる。このとき、右手ＨＲに接触する第１電圧電極５１と、右脇腹ＡＲに接触する第２電圧電極５２とにより、これら電圧電極５１，５２の間を流れる電流の電圧値（以下、「右体第２電圧値」）が測定される。
【００３５】
（測定手順３）図４（ａ）に示されるように、左手ＨＬに接触する第３電流電極４３、および右脇腹ＡＲに接触する第２電流電極４２を介して電流が流れる。このとき、左手ＨＬに接触する第３電圧電極５３と、右脇腹ＡＲに接触する第２電圧電極５２とにより、これら電圧電極５３，５２の間を流れる電流の電圧値（以下、「左体第１電圧値」）が測定される。
【００３６】
（測定手順４）図４（ｂ）に示されるように、左手ＨＬに接触する第３電流電極４３、および左脇腹ＡＬに接触する第４電流電極４４を介して電流が流れる。このとき、左手ＨＬに接触する第３電圧電極５３と、左脇腹ＡＬに接触する第４電圧電極５４とにより、これら電圧電極５３，５４の間を流れる電流の電圧値（以下、「左体第２電圧値」）が測定される。
【００３７】
（測定手順５）右体第１電圧値から右体第２電圧値を減じた値を右体電圧値として算出する。また、左体第１電圧値から左体第２電圧値を減じた値を左体電圧値として算出する。そして、右体電圧値と左体電圧値との平均値、操作部６０を介して入力された各種の情報、および予め設定されている体脂肪演算用のアルゴリズムに基づいて、体脂肪の体積を演算する。また、演算結果としての体脂肪の体積を数値として表示部７０に表示する。
【００３８】
なお、右体第１電圧値は「右体肢を流れる電流に基づいて測定される第１電圧値」に相当する。また、右体第２電圧値は「右体肢を流れる電流に基づいて測定される第２電圧値」に相当する。また、左体第１電圧値は「左体肢を流れる電流に基づいて測定される第１電圧値」に相当する。また、左体第２電圧値は「左体肢を流れる電流に基づいて測定される第２電圧値」に相当する。
【００３９】
（実施形態の効果）
本実施形態の体組成測定装置１によれば以下の効果が得られる。
（１）右体第１電圧値および左体第１電圧値は、腕および体幹を斜めに横断する電流の電圧値に相当する。また、右体第２電圧値および左体第２電圧値は、腕および体幹を縦に横断する電流の電圧値に相当する。このため、右体第１電圧値と右体第２電圧値との差である右体電圧値、および左体第１電圧値と左体第２電圧値との差である左体電圧値のそれぞれには、体幹の中心部分の体組成が反映されている。
【００４０】
体組成測定装置１は、この点に着目して右体電圧値および左体電圧値に基づいて体組成としての体脂肪量を算出する。この構成によれば、体幹の体組成が相対的に大きく反映された測定結果を使用者に対して提供することができる。また、体脂肪量に対する体肢の皮下脂肪の影響が低減されるため、体脂肪量に含まれる内臓脂肪量を精度良く算出することができる。
【００４１】
（２）体組成測定装置１は、右体電圧値および左体電圧値の平均値に基づいて体組成を算出する。この構成によれば、右体電圧値および左体電圧値の一方に基づいて体組成を算出する構成と比較して、体組成の算出精度が高くなる。
【００４２】
（３）体組成測定装置１は、個別に構成された第１測定ユニット１０および第２測定ユニット２０を備えている。また第１測定ユニット１０は、第１電流電極４１、第２電流電極４２、第１電圧電極５１、および第２電圧電極５２を備えている。また第２測定ユニット２０は、第３電流電極４３、第４電流電極４４、第３電圧電極５３、および第４電圧電極５４を備えている。この構成によれば、第１測定ユニット１０を右手ＨＲおよび右脇腹ＡＲに接触させた状態、かつ第２測定ユニット２０を左手ＨＬおよび左脇腹ＡＬに接触させた状態において体組成の測定を行うことができる。このため、体組成を測定するにあたり、体幹に対する各測定ユニット１０，２０の位置を変更しなくとも体組成の測定結果を得ることができる。
【００４３】
（４）第１測定ユニット１０は、第１把持部１１および第１本体部１２を備えている。また第１把持部１１は、第１電流電極４１および第１電圧電極５１を備えている。また第１本体部１２は、第２電流電極４２および第２電圧電極５２を備えている。また第２測定ユニット２０は、第２把持部２１および第２本体部２２を備えている。また第２把持部２１は、第３電流電極４３および第３電圧電極５３を備えている。また第２本体部２２は、第４電流電極４４および第４電圧電極５４を備えている。この構成によれば、使用者は各把持部１１，２１を右手ＨＲおよび左手ＨＬのそれぞれにより把持した状態で各電極面１３，２３を脇腹に接触させることができる。すなわち、体組成の測定にあたり、電極を身体に貼り付ける等の作業を行う必要がない。このため、使用者は１人で体組成の測定を行うことができる。
【００４４】
（５）第１測定ユニット１０は、使用者が把持した状態で操作することが可能な操作部６０を備えている。この構成によれば、使用者が体組成を測定するとき、測定ボタンを容易に操作することができる。
【００４５】
（６）体組成測定装置１は、各電流電極４１〜４４が各電圧電極５１〜５４よりも下方に位置する状態で電圧値を測定する。この構成によれば、電流を流れる経路上に各電圧電極５１〜５４が位置するため、右体第１電圧値、右体第２電圧値、左体第１電圧値、および左体第２電圧値を精度よく算出することができる。
【００４６】
（その他の実施形態）
本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【００４７】
・上記実施形態（図３）において、体組成を測定するときの第１測定ユニット１０および第２測定ユニット２０の配置を以下の（Ａ）〜（Ｄ）のいずれかの配置に変更することもできる。なお、図５〜図７は、被測定体の腹部の臍を通過し、かつ水平方向と平行な体幹の断面を示している。
【００４８】
（Ａ）図５に示されるように、第１測定ユニット１０を右半身において右脇腹ＡＲよりも腹部中心側に配置する。また、第２測定ユニット２０を左半身において左脇腹ＡＬよりも背部中心側に配置する。
【００４９】
（Ｂ）図６に示されるように、第１測定ユニット１０を右半身において右脇腹ＡＲよりも腹部中心側に配置する。また、第２測定ユニット２０を左半身において左脇腹ＡＬよりも腹部中心側に配置する。
【００５０】
（Ｃ）図７に示されるように、第１測定ユニット１０の中心を腹部において右半身および左半身の境界に配置する。また、第２測定ユニット２０の中心を背部において右半身および左半身の境界に配置する。
【００５１】
（Ｄ）第１測定ユニット１０の第２電流電極４２および第２電圧電極５２、ならびに第２測定ユニット２０の第４電流電極４４および第２電圧電極５２の両方を右半身または左半身に配置する。
【００５２】
・上記実施形態（図３）では、第１測定ユニット１０の第２電流電極４２および第２電圧電極５２を右脇腹ＡＲに接触させているが、体幹において右脇腹ＡＲよりも上方の部分または下方の部分に各電極４２，５２を接触させることもできる。
【００５３】
・上記実施形態（図３）において、第１測定ユニット１０の第２電流電極４２および第２電圧電極５２を右脚に接触させることもできる。この場合においても、右体第１電圧値から右体第２電圧値を減じることにより体幹の体組成に対する腕および脚の体組成の影響を小さくすることができる。このため、上記実施形態と同様、体幹の体組成が相対的に大きく反映された測定結果を使用者に対して提供することができる。
【００５４】
・上記実施形態（図３）では、第２測定ユニット２０の第４電流電極４４および第４電圧電極５４を左脇腹ＡＬに接触させているが、体幹において左脇腹ＡＬよりも上方の部分または下方の部分に各電極４４，５４を接触させることもできる。
【００５５】
・上記実施形態（図３）において、第２測定ユニット２０の第４電流電極４４および第４電圧電極５４を左脚に接触させることもできる。この場合においても、左体第１電圧値から左体第２電圧値を減じることにより体幹の体組成に対する腕および脚の体組成の影響を小さくすることができる。このため、上記実施形態と同様、体幹の体組成が相対的に大きく反映された測定結果を使用者に対して提供することができる。
【００５６】
・上記実施形態（図３）では、体肢部分としての右手ＨＲおよび左手ＨＬに各電極４１，４２，５２，５４を接触させているが、腕の一部分を体肢部分として各電極４１，４２，５２，５４を接触させることもできる。また、脚の一部分を体肢部分として各電極４１，４２，５２，５４を脚に接触させることもできる。
【００５７】
・上記実施形態（図３）では、各電流電極４１〜４４が各電圧電極５１〜５４の下方に位置した状態で体組成を測定する手順を採用しているが、各電流電極４１〜４４および各電圧電極５１〜５４が水平方向に位置した状態で体組成を測定することもできる。
【００５８】
・上記実施形態（図２）では、ケーブルＣにより第１測定ユニット１０および第２測定ユニット２０が互いに接続される装置として体組成測定装置１を構成しているが、図８の体組成測定装置９０のようにユニット同士の接続の仕方を変更することもできる。
【００５９】
図８に示される体組成測定装置９０には、第１測定ユニット１０および第２測定ユニット２０を互いに接続する支持部材９１が設けられている。支持部材９１には、操作部６０および表示部７０により構成される本体部９２が設けられている。本体部９２には、臍と対応させるためのマーカー９３が設けられている。なお、支持部材９１は「目印機構」に相当する。
【００６０】
図９を参照して、体組成測定装置９０を用いて体組成を測定する場合の測定の準備について説明する。
使用者は、第１測定ユニット１０の把持部１１を右手ＨＲで把持した状態、かつ第２測定ユニット２０の把持部２１を左手ＨＬで把持した状態において、マーカー９３を臍位置に合わせる。次に、第１測定ユニット１０の第２電流電極４２および第２電圧電極５２を右脇腹ＡＲに接触させる。また、第２測定ユニット２０の第４電流電極４４および第４電圧電極５４を左脇腹ＡＬに接触させる。そして、体幹に対する支持部材９１の傾き度合を目視により確認し、体幹に対する第１測定ユニット１０の高さ方向の位置および第２測定ユニット２０の高さ方向の位置を揃える。
【００６１】
・上記変形例において、支持部材９１または本体部９２に水平指示器を設け、この水平指示器を利用して各測定ユニット１０，２０の高さを揃えることもできる。
・上記実施形態（図３）では、第１測定ユニット１０および第２測定ユニット２０の高さを目視により揃える測定手順を採用しているが、第１測定ユニット１０および第２測定ユニット２０に高さセンサを設け、このセンサを利用して各測定ユニット１０，２０の高さを揃えることもできる。
【００６２】
・上記実施形態（図３）において、体幹に対する第１測定ユニット１０および第２測定ユニット２０の位置を検出するセンサを設け、このセンサを利用して体幹に対する各測定ユニット１０，２０の位置を調整することもできる。なお、位置を検出するセンサは、例えば、距離センサ、角度センサ、および接触センサ等を組み合わせることにより構成することができる。
【００６３】
・上記実施形態（図１）において、第２測定ユニット２０を省略することもできる。この場合、表示部７０および第２制御部８２が第１測定ユニット１０に設けられる。また、体組成の測定は次の手順により行うことができる。
【００６４】
すなわち、右手ＨＲで第１測定ユニット１０の把持部を把持し、かつ第１測定ユニット１０の第２電流電極４２および第２電圧電極５２を左脇腹ＡＬに接触させた状態において、右体第１電圧値を測定する。また、右手ＨＲで第１測定ユニット１０の把持部を把持し、かつ第１測定ユニット１０の第２電流電極４２および第２電圧電極５２を右脇腹ＡＲに接触させた状態において、右体第２電圧値を測定する。また、左手ＨＬで第１測定ユニット１０の把持部を把持し、かつ第１測定ユニット１０の第２電流電極４２および第２電圧電極５２を右脇腹ＡＲに接触させた状態において、左体第１電圧値を測定する。また、左手ＨＬで第１測定ユニット１０の把持部を把持し、かつ第１測定ユニット１０の第２電流電極４２および第２電圧電極５２を左脇腹ＡＬに接触させた状態において、左体第２電圧値を測定する。
【００６５】
・上記実施形態（図２）において、第１電極面１３および第２電極面２３の中央部分を凹ませることにより、これらの面の形状を湾曲形状とすることもできる。この場合、体表面に沿うように各電極面１３，２３を湾曲させることが好ましい。
【００６６】
・上記実施形態（図２）において、各電極４２，５２，４４，５４と各電極面１３，２３との間にばねを設けることもできる。この構成によれば、各電極４２，５２，４４，５４を脇腹に接触させたとき、各電極４２，５２，４４，５４が脇腹から離間しにくい。
【００６７】
・上記実施形態（図２）では、第２測定ユニット２０に表示部７０を設けているが、第１測定ユニット１０に表示部７０を設けることもできる。また、表示部７０に代えてまたは加えて、第１測定ユニット１０および第２測定ユニット２０とは別体の表示装置を設けることもできる。なお、別体の表示装置としては、体組成測定装置１と通信することのできる体重計およびパーソナルコンピュータのモニタが挙げられる。
【００６８】
・上記実施形態（図２）では、第１測定ユニット１０に操作部６０を設けているが、第２測定ユニット２０に操作部６０を設けることもできる。また、操作部６０に代えてまたは加えて、第１測定ユニット１０および第２測定ユニット２０とは別体の操作装置を設けることもできる。なお、別体の操作装置としては、体組成測定装置１と通信することのできる体重計およびパーソナルコンピュータの入力機器が挙げられる。
【００６９】
・上記実施形態（図２）では、第１測定ユニット１０および第２測定ユニット２０に各電流電極４１〜４４および各電圧電極５１〜５４を設けているが、第１測定ユニット１０および第２測定ユニットを省略することもできる。この場合、各電流電極４１〜４４および各電圧電極５１〜５４と制御部８０とケーブルにより互いに接続する。そして、体組成の測定時においては、各電流電極４１〜４４および各電圧電極５１〜５４を右手ＨＲ、右脇腹ＡＲ、左手ＨＬ、および左脇腹ＡＬの対応する部位に貼り付ける。
【００７０】
・上記実施形態（図１）では、電圧値を測定する体組成測定装置１に本発明を適用した場合の一例を示しているが、他の装置により測定された電圧値を読み込み、この電圧値に基づいて体組成を算出する体組成測定装置に対して本発明を適用することもできる。要するに、体肢および体幹を流れる電流の電圧値に基づいて体組成を算出する体組成測定装置する装置であれば、いずれの装置に対しても本発明を適用することができる。
【符号の説明】
【００７１】
１  ：体組成測定装置
１０：第１測定ユニット
１１：第１把持部
１２：第１本体部
１３：第１電極面
２０：第２測定ユニット
２１：第２把持部
２２：第２本体部
２３：第２電極面
３０：測定部
３１：第１測定部
３２：第２測定部
４１：第１電流電極（電流電極Ａ）
４２：第２電流電極（電流電極Ｂ）
４３：第３電流電極（電流電極Ｄ）
４４：第４電流電極（電流電極Ｃ）
５１：第１電圧電極（電圧電極Ａ）
５２：第２電圧電極（電圧電極Ｂ）
５３：第３電圧電極（電圧電極Ｄ）
５４：第４電圧電極（電圧電極Ｃ）
６０：操作部
７０：表示部
８０：制御部
８１：第１制御部
８２：第２制御部
９０：体組成測定装置
９１：支持部材（目印機構）
９２：本体部
９３：マーカー
Ｃ  ：ケーブル
ＡＬ：左脇腹
ＡＲ：右脇腹
ＨＬ：左手
ＨＲ：右手
【図１】
0005662284.tif 000002
【図２】
0005662284.tif 000003
【図３】
0005662284.tif 000004
【図４】
0005662284.tif 000005
【図５】
0005662284.tif 000006
【図６】
0005662284.tif 000007
【図７】
0005662284.tif 000008
【図８】
0005662284.tif 000009
【図９】
0005662284.tif 000010